(57)【特許請求の範囲】
【請求項１】
対向する一対の辺を有する形状の日除け面を形成する支持部と、該日除け面に張り渡されるようにして支持部に取付けられた生地と、日除け面の前記対向する一対の辺の両端に渡り、且つ該日除け面と略直交する面内において弓状に延びる一対の弓状枠と、支持部に取付けられたウエイト材と、からなり、前記一対の弓状枠を設置面に対して設置可能とする日除け。
【請求項２】
前記支持部は、一対の横枠と一対の縦枠とによって形成された矩形の枠体で構成され、前記弓状枠は縦枠の両端に渡って弓状に延びる請求項１記載の日除け。
【請求項３】
前記ウエイト材は、前記日除け面の前記対向する一対の辺に沿って移動可能である請求項１または２記載の日除け。
【請求項４】
前記ウエイト材は、前記縦枠にスライド可能に取付けられる請求項２記載の日除け。
【請求項５】
前記生地は、畳み込み可能な素材からなり、前記支持部の適宜箇所から突出されたピンに引っ掛けられることにより支持部に着脱可能に取付けられる請求項１ないし４のいずれか１項に記載の日除け。
【請求項６】
前記支持部は、複数の折り畳み可能または分解可能なパイプ材から構成される請求項１ないし５のいずれか１項に記載の日除け。
【発明の詳細な説明】
【０００１】
【発明の属する技術分野】
本発明は、例えば海、河原、キャンプ場等において使用することができる日除けに関するものである。
【０００２】
【従来の技術】
従来、日除けとして、特にレジャー用に使用されるものでは、ビーチパラソルが一般的である。
【０００３】
【発明が解決しようとする課題】
しかしながら、従来のビーチパラソルでは、パラソルを所望の場所に設定するために、パラソルのパイプの一部を砂浜などに埋める等しなければならず、設置作業が非常に煩わしいという問題がある。また、パラソルは常に略垂直に立設されるものであり、太陽の向きによって日除け方向を変更することはできないという問題がある。さらには、広い範囲で日除けを行うためには、パラソルの頂部にある傘部分を大型化しなければならず、安定性が悪化し持ち運びが不便になるという問題がある。
【０００４】
本発明は、かかる課題に鑑みなされたもので、その第１の目的は、設置が簡単にできる日除けを提供することである。
【０００５】
また、第２の目的は、第１の目的に加えて、太陽の向き、またはユーザーの好みによって日除けする方向を任意に調整することができる日除けを提供することである。
【０００６】
また、第３の目的は、第１または第２の目的に加えて、持ち運びまたは収納に便利で、かつ嵩張ることなく日除け面積を大きくすることができる日除けを提供することである。
【０００７】
【課題を解決するための手段】
上記目的を達成するために、本発明のうちで請求項１記載の発明による日除けは、対向する一対の辺を有する形状の日除け面を形成する支持部と、該日除け面に張り渡されるようにして支持部に取付けられた生地と、日除け面の前記対向する一対の辺の両端に渡り、且つ該日除け面と略直交する面内において弓状に延びる一対の弓状枠と、支持部に取付けられたウエイト材と、からなり、前記一対の弓状枠を設置面に対して設置可能とすることを特徴とする。
【０００８】
単に、前記弓状枠を設置面に対して設置するだけで、設置作業は完了し、日除け面に張り渡された生地と設置面との間に居住スペースが形成される。ウエイト材の重量を適当なものとすることにより、風で飛ばされることもない。
【０００９】
また、請求項２記載の発明は、請求項１記載の前記支持部が、一対の横枠と一対の縦枠とによって形成された矩形の枠体で構成され、前記弓状枠は縦枠の両端に渡って弓状に延びることを特徴とする。枠体で日除け面を構成することになり、剛性を持たせることができる。
【００１０】
また、請求項３記載のものは、請求項１または２記載の前記ウエイト材が、前記日除け面の対向する一対の辺に沿って移動可能であることを特徴とする。ウエイト材の移動によって、弓状枠の設置面との接触点が変化し、日除け面の傾きを変化させることができる。従って、太陽の向き、ユーザーの好みによって日除けする方向を任意に調整することができる。
【００１１】
また、請求項４記載のものは、請求項２記載の前記ウエイト材が、前記縦枠にスライド可能に取付けられることを特徴とする。縦枠にスライド可能とすることで、ウエイト材を安定的に且つ簡単に移動させることができる。
【００１２】
また、請求項５記載のものは、請求項１ないし４のいずれか１項に記載の前記生地が、畳み込み可能な素材からなり、前記支持部の適宜箇所から突出されたピンに引っ掛けられることにより支持部に着脱可能に取付けられることを特徴とする。生地が支持部から着脱可能となっているため、不使用時、支持部から取り外した後、畳み込めばコンパクトに収めることができ、持ち運び、収納に便利なものとなる。日除け面積を大きくするために、生地の面積が大きくなっても畳み込むことができるので、嵩張ることを防ぐことができる。
【００１３】
また、請求項６記載のものは、請求項１ないし５のいずれか１項に記載の前記支持部が複数の折り畳み可能または分解可能なパイプ材から構成されることを特徴とする。不使用時、パイプ材を折り畳みまたは分解すれば、コンパクトに収めることができ、持ち運び、収納に便利なものとなる。日除け面積を大きくするために、支持部の全長が大きくなっても、折り畳みまたは分解することができるので、嵩張ることを防ぐことができる。
【００１４】
【発明の実施の形態】
以下、図面を用いて本発明の実施の形態を説明する。図１ないし図４は本発明に係る日除けの実施形態を表す図である。
【００１５】
この日除け１０は、一対の横枠１３、１３と一対の縦枠１４、１４によって形成された矩形の枠体１２で構成される支持部と、枠体１２に張り渡されるようにして取付けられた生地１６と、枠体１２の対向する一辺である一対の縦枠１４、１４の両端に渡り弓状に延びる一対の弓状枠１８、１８と、枠体１２に取付けられたウエイト材２０と、を備えている。
【００１６】
枠体１２は、複数のパイプ材から構成することができる。図の例では、図４に示したように、横枠１３、１３がそれぞれ１つのパイプで構成され、縦枠１４、１４がそれぞれ２つのパイプで構成され、これらを適宜組み立てることで、矩形の枠体１２が形成されている。但し、これに限るものではなく、各横枠１３、１３、縦枠１４、１４をそれぞれ折り畳み・組立自在に連結された、または分解・組立自在になった複数のパイプ材で構成することも可能である。枠体１２は、１つの面を画成しており、この面が日除け面Ｓとなる。また、支持部は、このような横枠１３、１３、縦枠１４、１４による矩形の枠体１２によって日除け面Ｓを形成する他に、それ以外の構成、例えば、パイプをＸ状に配列した構成とすることもでき、Ｘ状のパイプで形成される面を日除け面Ｓとすることもできる。
【００１７】
枠体１２の四角部、例えば一対の横枠１３、１３の両端には、それぞれ上向きに突出したピン１３ａが形成されており、各ピン１３ａに、矩形の生地１６の四隅にハトメにより形成された取付孔１６ａが引っ掛けられる。こうして、生地１６は、前記日除け面Ｓに渡り取付けられる。但し、生地１６をピン１３ａに取付ける代わりに、生地１６の周縁辺に沿って袋状部を設けて、該袋状部に横枠１３、１３、縦枠１４、１４のそれぞれの端部以外を挿入し、横枠１３と縦枠１４の対応する端部同士を連結することにより枠体１２を構成すると共に生地１６を枠体１２に取り付けることもできる。生地１６は、畳み込み可能な素材で構成されると良く、枠体１２に取付けられる前は、畳み込むことができるようにしておくと良い。
【００１８】
横枠１３、１３の両端には、弓状枠１８の両端を受ける受部１３ｂも形成されており、弓状枠１８の両端が該受部１３ｂに収容される。弓状枠１８も折り畳み・組立自在または分解・組立自在に連結された複数のパイプ材で構成することができる。各弓状枠１８は、縦枠１４の両端に渡り、枠体１２が画成する面に略直交する面内、言いかえれば、前記日除け面Ｓに直交する面内において、弓状に延びている。
【００１９】
また、一対の縦枠１４、１４には、両者の間に渡りウエイト材２０がスライド可能に取付けられている。ウエイト材２０は、その中間部に収容筒部２０ａを備えており、該収容筒部２０ａ内に水等の液体を充填することにより、重量を持たせることができる。不使用時には、収容筒部２０ａ内の水等の液体を排出することにより、軽量化して持ち運びに便利となるようにすることができる。ウエイト材２０の両端は、その摩擦力により縦枠１４、１４に保持され、外力を加えることにより縦枠１４、１４をスライドすることができる。または、別途、係止手段を設けて、ウエイト材２０を所望の縦枠１４、１４の位置で係止するようにしても良い。
【００２０】
以上のように構成される日除け１０においては、一対の弓状枠１８、１８の曲線部分を所望の設置面に設置するだけで設置作業は完了し、日除け面Ｓが設置面よりも上方に配置され、日除け面Ｓの下方に居住スペースが形成される。単に設置面上に設置するだけでよいために、簡単に設置作業を行うことができる。ウエイト材２０の重量を適当なものとすることにより、風で飛ばされることもない。
【００２１】
弓状枠１８、１８の設置面との接触点の位置は、主にウエイト材２０に作用する重力との釣り合いによって決まり、この日除け面Ｓの傾きは、ウエイト材２０の位置によって調整することができる。図３に示すように、ウエイト材２０を縦枠１４の一端部に接近して配置すると、ウエイト材２０に作用する重力Ｆと釣り合い、さらにウエイト材２０を除いた日除け１０の重心Ｇ位置回りの回転モーメントを打ち消すために、設置面から反力Ｎを受ける弓状枠１８の接触点がその一端部寄りとなり、結果として日除け面Ｓの水平面からの傾きは大きくなる。他方、ウエイト材２０を縦枠１４の中央部に配置すると、弓状枠１８の接触点が中央部となり、結果として日除け面Ｓの水平面からの傾きは小さくなり、日除け面Ｓは、設置面と平行となる。例えば、図２(ａ)に示すように、太陽が斜めにある場合には、ウエイト材２０を一端部に寄せることにより、太陽光を遮り、生地１６のよる陰を長くすることができる。また、図２（ｂ）に示すように、太陽が真上にある場合には、ウエイト材２０を中央部に動かすことにより、太陽光を効果的に遮ることができる。
【００２２】
この日除け１０の使用が終わったときには、図４に示すように分解することができる。前述のように、横枠１３、１３、縦枠１４、１４を折り畳み可能または分解可能とし、生地１６を畳み込み可能としていれば、不使用時には、コンパクトにでき、持ち運びまたは収納に便利となる。また、日除け面Ｓの面積を大きくしたい場合に、生地１６の面積及び横枠１３、１３、縦枠１４、１４の長さが長くなっても、大きく嵩張ることを防ぐことができる。
【００２３】
【発明の効果】
以上説明したように、請求項１ないし６記載の発明によれば、一対の弓状枠の曲線部分を所望の設置面に単に設置するだけでよいので、簡単に設置作業を行うことができる。ウエイト材の重量を適当なものとすることにより、風で飛ばされることもない。
【００２４】
また、請求項２記載の発明によれば、枠体で日除け面を構成することにより、剛性を持たせることができる。
【００２５】
また、請求項３または請求項４記載の発明によれば、ウエイト材を移動させることにより、日除け面の傾きを調整することができるので、太陽の向き、またはユーザーの好みによって日除けする方向及びその角度を任意に調整することができる。
【００２６】
また、請求項５または請求項６記載の発明によれば、生地または支持部を折り畳みまたは分解することができるので、持ち運びにまたは収納に便利にすることができ、且つ、生地の面積を大きくしても、嵩張ることを防ぐことができる。
【図面の簡単な説明】
【図１】本発明の日除けの実施形態を表す斜視図である。
【図２】図１の日除け面と太陽光の傾きとの関係を表す説明図であり、(ａ)は太陽が斜めにある場合、（ｂ）は太陽が真上にある状態を表す。
【図３】ウエイト材と日除け面との関係を表す側面図である。
【図４】図１の日除けの分解斜視図である。
【符号の説明】
１０  日除け
１２  枠体
１３  横枠
１４  縦枠
１６  生地
１８  弓状枠
２０  ウエイト材
Ｓ  日除け面
【図１】
0003833427.tif 000002
【図２】
0003833427.tif 000003
【図３】
0003833427.tif 000004
【図４】
0003833427.tif 000005